(57)【要約】【課題】自らの事業者の通信のみの聴取を可能とすること。【解決手段】中継局は、第一事業者の無線端末が通常の接続先とする第一中継装置と、他の無線端末が通常の接続先とする他の中継装置とを含む。第一中継装置は、第一中継装置が第一事業者の無線端末から音声出力設定変更要求を受信した場合に、第一中継装置または他の中継装置が第一事業者の無線端末からのアップリンク信号に対応する音声の音声出力の可否を判定する。【選択図】図３
2020129754.tif 000002
【特許請求の範囲】
【請求項１】
第一事業者の無線端末が通常の接続先とする第一中継装置と、
他の無線端末が通常の接続先とする他の中継装置とを含み、
前記第一中継装置は、
前記第一中継装置が前記第一事業者の無線端末から音声出力設定変更要求を受信した場合に、前記第一中継装置または前記他の中継装置が前記第一事業者の無線端末からのアップリンク信号に対応する音声の音声出力の可否を判定する制御部を備える、
中継局。
【請求項２】
前記中継局を介した無線端末間の通信方式は、複数のタイムスロットを有するＴＤＭＡ（Time  Division  Multiple  Access）方式であり、
前記第一事業者の無線端末の通常の接続先は、前記第一中継装置の所定のタイムスロットであって、
前記第一中継装置が前記第一事業者の無線端末から音声出力設定変更要求を受信し、
前記制御部は、前記第一中継装置のいずれのタイムスロットまたは前記他の中継装置のいずれのタイムスロットが前記第一事業者の無線端末からのアップリンク信号を受信した場合に、受信したアップリンク信号に対応する音声の音声出力の可否を判定する、
請求項１に記載の中継局。
【請求項３】
前記制御部は、前記第一中継装置が前記第一事業者の一の無線端末から第一アップリンク信号を受信し、前記他の中継装置が前記第一事業者の他の無線端末から第二アップリンク信号を受信した場合に、前記第一アップリンク信号に対応する第一音声と、前記第二アップリンク信号に対応する第二音声とを混合して音声出力を可能とする、
請求項１または２に記載の中継局。
【請求項４】
中継装置であって、
事業者毎に無線端末が通常の接続先とする中継装置が定められ、
前記中継装置は、
自身を通常の接続先とする無線端末から、音声出力設定変更要求を受信する無線通信部と、
前記音声出力設定変更要求に基づいて、前記中継装置が前記無線端末からのアップリンク信号を受信した場合に前記アップリンク信号に対応する音声の音声出力の可否を判定し、さらに前記判定に基づいて、他の事業者が通常の接続先とする中継装置が前記無線端末からのアップリンク信号を受信した場合に前記アップリンク信号に対応する音声の音声出力の可否の指示を行う音声出力制御部と、
を備える、中継装置。
【請求項５】
第一事業者の無線端末が通常の接続先とする第一中継装置と、他の事業者の他の無線端末が通常の接続先とする他の中継装置とを含む中継局の中継方法であって、
自身を通常の接続先とする無線端末から、音声出力設定変更要求を受信するステップと、
前記音声出力設定変更要求に基づいて、前記第一中継装置が、前記第一事業者の無線端末からのアップリンク信号を受信した場合に、前記アップリンク信号に対応する音声の音声出力の可否を判定するステップと、
前記判定に基づいて、他の事業者が通常の接続先とする中継装置が前記無線端末からのアップリンク信号を受信した場合に前記アップリンク信号に対応する音声の音声出力の可否の指示を行うステップと
を含む、中継方法。
【発明の詳細な説明】
【技術分野】
【０００１】
本発明は、中継局、中継装置、および中継方法に関する。
【背景技術】
【０００２】
中継装置と、トランシーバなどの複数の端末とを接続して構成された通信システムが知られている。
【０００３】
例えば、特許文献１には、中継装置にマイクおよびスピーカを接続し、中継装置から各トランシーバに通信を行う技術が開示されている。
【先行技術文献】
【特許文献】
【０００４】
【特許文献１】特開２０１５−１４６５８４号公報
【発明の概要】
【発明が解決しようとする課題】
【０００５】
通信システムで使用される中継装置は、複数の事業者などのグループで共有される中継局に配置される。中継装置で中継される音声を出力することを常に可能としてしまうと他事業者の通話を傍受できてしまい、秘匿性が低下する。また、中継装置で中継される音声を出力することを常に不可能としてしまうと利便性が低下する場合がある。
【０００６】
本発明は、複数の事業者で共有する中継局の中継装置において、自らが属する事業者の通信のみ聴取を可能とさせる中継局、中継装置、および中継方法を提案する。
【課題を解決するための手段】
【０００７】
本発明の中継局は、第一事業者の無線端末が通常の接続先とする第一中継装置と、他の無線端末が通常の接続先とする他の中継装置とを含み、前記第一中継装置は、前記第一中継装置が前記第一事業者の無線端末から音声出力設定変更要求を受信した場合に、前記第一中継装置または前記他の中継装置が前記第一事業者の無線端末からのアップリンク信号に対応する音声の音声出力の可否を判定する制御部を備える。
【０００８】
本発明の中継装置は、中継装置であって、事業者毎に無線端末が通常の接続先とする中継装置が定められ、前記中継装置は、自身を通常の接続先とする無線端末から、音声出力設定変更要求を受信する無線通信部と、前記音声出力設定変更要求に基づいて、前記中継装置が前記無線端末からのアップリンク信号を受信した場合に前記アップリンク信号に対応する音声の音声出力の可否を判定し、さらに前記判定に基づいて、他の事業者が通常の接続先とする中継装置が前記無線端末からのアップリンク信号を受信した場合に前記アップリンク信号に対応する音声の音声出力の可否の指示を行う音声出力制御部と、を備える。
【０００９】
本発明の中継方法は、第一事業者の無線端末が通常の接続先とする第一中継装置と、他の事業者の他の無線端末が通常の接続先とする他の中継装置とを含む中継局の中継方法であって、自身を通常の接続先とする無線端末から、音声出力設定変更要求を受信するステップと、前記音声出力設定変更要求に基づいて、前記第一中継装置が、前記第一事業者の無線端末からのアップリンク信号を受信した場合に、前記アップリンク信号に対応する音声の音声出力の可否を設定するステップと、前記判定に基づいて、他の事業者が通常の接続先とする中継装置が前記無線端末からのアップリンク信号を受信した場合に前記アップリンク信号に対応する音声の音声出力の可否の指示を行うステップとを含む。
【発明の効果】
【００１０】
本発明によれば、複数の事業者で共有する中継局の中継装置において、自らの事業者の通信のみ聴取を可能とさせることができる。
【図面の簡単な説明】
【００１１】
【図１】図１は、本発明の第一実施形態に係る中継装置を備える無線通信システムの構成の一例を示す模式図である。
【図２】図２は、本実施形態に係る無線端末の構成の一例を示すブロック図である。
【図３】図３は、本実施形態の中継装置の構成の一例を示すブロック図である。
【図４】図４は、スピーカ出力制御テーブルの一例を示す模式図である。
【図５】図５は、従来技術の課題を説明するための模式図である。
【図６】図６は、スピーカの出力制御を説明するための模式図である。
【図７】図７は、図６とは異なるスピーカの出力制御を説明するための模式図である。
【図８】図８は、図６および図７とは異なるスピーカの出力制御を説明するための模式図である。
【図９】図９は、受信音声をスピーカの出力対象とする処理を示すシーケンス図である。
【図１０】図１０は、受信音声をスピーカの出力対象としない処理を示すシーケンス図である。
【図１１】図１１は、受信音声のスピーカの出力を停止する処理を示すシーケンス図である。
【図１２】図１２は、受信音声のスピーカの出力を停止する図１１とは異なる処理を示すシーケンス図である。
【図１３】図１３は、スピーカの出力を常時許可する処理を示すシーケンス図である。
【図１４】図１４は、受信音声のスピーカ出力を一時的に禁止にする処理を示すシーケンス図である。
【図１５】図１５は、受信音声のスピーカ出力を一時的に許可する処理を示すシーケンス図である。
【図１６】図１６は、各中継装置が無線端末に対してスピーカの設定状態を報知する処理の一例を示すシーケンス図である。
【図１７】図１７は、マイクの物理的な接続または切断を検出した際の処理の流れの一例を示すフローチャートである。
【図１８】図１８は、他の中継装置からスピーカ出力設定通知を受信した際の処理の流れの一例を示すフローチャートである。
【図１９】図１９は、無線端末からスピーカ出力設定変更要求を受信した際の処理の流れの一例を示すフローチャートである。
【図２０】図２０は、無線端末から一時的なスピーカ出力設定を受信した際の処理の流れの一例を示すフローチャートである。
【図２１】図２１は、スピーカ出力を開始または停止する処理の流れの一例を示すフローチャートである。
【図２２】図２２は、スピーカ出力の可否を判定する処理の流れの一例を示すフローチャートである。
【図２３】図２３は、判定テーブルの一例を示す模式図である。
【発明を実施するための形態】
【００１２】
以下、添付図面を参照して、本発明に係る実施形態を詳細に説明する。なお、この実施形態により本発明が限定されるものではなく、また、実施形態が複数ある場合には、各実施形態を組み合わせて構成するものも含む。
【００１３】
[第一実施形態]
図１を用いて、本発明の第一実施形態に係る中継装置を備える無線通信システムの構成について説明する。図１は、本発明の第一実施形態に係る無線通信システムの構成の一例を示す模式図である。
【００１４】
図１に示すように、無線通信システム１０は、中継局１００と、事業者Ａの複数の無線端末１５０−１と、事業者Ｂの複数の無線端末１５０−２と、事業者Ｃの複数の無線端末１５０−３と、事業者Ｄの複数の無線端末１５０−４とを含む。無線端末１５０−１から無線端末１５０−４を総称して、無線端末１５０と呼ぶこともある。
【００１５】
中継局１００は、複数の中継装置で構成される。図１に示す例では、中継局１００は、第一中継装置１１０−１と、第二中継装置１１０−２と、・・・、第ｎ（ｎは２以上の整数）中継装置１１０−ｎとで構成される。第一中継装置１１０−１から第ｎ中継装置１１０−ｎは、それぞれ、ＩＰ（Internet  Protocol）およびシリアル回線などの通信回線ＮＷを介して互いに接続されている。なお、中継局を構成する中継装置の数は２台以上であれば特に制限はない。第一中継装置１１０−１から第ｎ中継装置１１０−ｎは、例えばラックなどに収容され、一か所に積まれた状態で設置される。また、中継局１００には、第一中継装置１１０−１から第ｎ中継装置１１０−ｎを管理するためのオペレータＯが常駐していてもよい。第一中継装置１１０−１から第ｎ中継装置１１０−ｎを総称して、中継装置１１０と呼ぶこともある。
【００１６】
第一中継装置１１０−１から第ｎ中継装置１１０−ｎには、無線端末との間で送信受信するための周波数情報を持ったＣＨ（チャネル）が設定されている。本実施形態では、第一中継装置１１０−１から第ｎ中継装置１１０−ｎには、それぞれ、２つのＣＨが設定されている。例えば第一中継装置１１０−１でいえば、ＣＨ１と、ＣＨ２との２つのＣＨが設定されている。すなわち、第一中継装置１１０−１から第ｎ中継装置１１０−ｎは、ＴＤＭＡ（Time  Division  Multiple  Access）で通信を行う中継装置である。なお、第一中継装置１１０−１から第ｎ中継装置１１０−ｎに設定されているＣＨは、１つだけであってもよい。この場合、第一中継装置１１０−１から第ｎ中継装置１１０−ｎは、ＦＤＭＡ（Frequency  Division  Multiple  Access）方式で通信を行う。
【００１７】
第一中継装置１１０−１から第ｎ中継装置１１０−ｎは、それぞれスピーカを内蔵している。第一中継装置１１０−１はスピーカ１３０−１を有する。第二中継装置１１０−２はスピーカ１３０−２を有する。第ｎ中継装置１１０−ｎはスピーカ１３０−ｎを有する。スピーカ１３０−１からスピーカ１３０−ｎは、無線端末から受信したアップリンク信号の音声信号を音声として出力する。
【００１８】
第一中継装置１１０−１から第ｎ中継装置１１０−ｎは、ベース運用にも対応しており、外部マイクを接続し無線端末に対して音声を送信することができる。図１に示す例では、第二中継装置１１０−２に、マイク１４０が接続されている。第一中継装置１１０−１から第ｎ中継装置１１０−ｎは、タイムスロットを選択する機能（Slot  Selection）を有している。例えば、タイムスロット１とタイムスロット２とのいずれでマイク１４０からの音声を送信するかを選択することができる。タイムスロット１とタイムスロット２とのいずれで送信を行うかについては、ＰＣ（Personal  Computer）アプリケーションによって予め選択することができる。
【００１９】
本実施形態では、互いに無関係な複数の事業者の無線端末が中継局１００を共有することができる。図１に示す例では、事業者Ａと、事業者Ｂと、事業者Ｃと、事業者Ｄとの各無線端末が中継局１００を共有している。本実施形態では、事業者が中継局１００を共有しているものとして説明するが、これは本発明を限定するものではない。本発明では、何らかの属性で区分けされた複数のグループで中継局１００を共有している場合にも、適用することができる。
【００２０】
中継局１００では、事業者ごとにＨｏｍｅ  ＣＨの設定を変えて運用することで、互いの事業者の通話が混信しないようにしている。例えば、各無線端末は待ち受け時には、自身に設定されたＨｏｍｅ  ＣＨを監視する。
【００２１】
図１に示す例では、事業者Ａの無線端末１５０−１は第一中継装置１１０−１のＣＨ１を監視し、事業者Ｂの無線端末１５０−２は第一中継装置１１０−１のＣＨ２を監視する。この場合、第一中継装置１１０−１は、無線端末１５０−１と、無線端末１５０−２との通常の接続先となる。事業者Ｃの無線端末１５０−３は第二中継装置１１０−２のＣＨ３を、事業者Ｄの無線端末１５０−４は第二中継装置１１０−２のＣＨ４を監視する。この場合、第二中継装置１１０−２は、無線端末１５０−３と、無線端末１５０−４との通常の接続先となる。
【００２２】
無線端末が音声通話を開始する際、Ｈｏｍｅ  ＣＨが他の無線端末によって使用されていない状況であれば、Ｈｏｍｅ  ＣＨを優先的に使用するが、Ｈｏｍｅ  ＣＨが使用されていればシステムから通知された他のＣＨを使用して（トランクアウトして）音声通話を行う。
【００２３】
図２を用いて、本実施形態に係る無線端末の構成について説明する。図２は、本実施形態に係る無線端末の構成の一例を示すブロック図である。
【００２４】
無線端末１５０は、記憶部１５１と、音声入力部１５２と、音声出力部１５３と、操作部１５４と、表示部１５５と、無線通信部１５６と、制御部１６０とを備える。
【００２５】
記憶部１５１は、種々のデータを記録する。記憶部１５１は、例えば、制御部１６０の各部を実現させるためのプログラムを記憶している。制御部１６０は、記憶部１５１に記憶されているプログラムを展開して実行することで、各部の機能を実現する。記憶部１５１は、例えば、ＲＡＭ（Random  Access  Memory）、ＲＯＭ（Read  Only  Memory）、フラッシュメモリ（Flash  Memory）などの半導体メモリ素子、または、ハードディスク、ソリッドステートドライブ、光ディスクなどの記憶装置で実現することができる。
【００２６】
音声入力部１５２は、種々の音声を受け付ける。音声入力部１５２は、例えば他の無線端末などに送信するための音声をユーザから受け付け、音声信号として制御部１６０に出力する。音声入力部１５２は、例えば通常のマイクロフォンで構成される。
【００２７】
音声出力部１５３は、種々の音声を出力する。音声出力部１５３は、例えば他の無線端末などから送信された信号に対応する音声を出力する。音声出力部１５３は、例えば通常のスピーカで構成される。
【００２８】
操作部１５４は、無線端末１５０に対する種々の操作を受け付ける。種々の操作には、例えば無線端末１５０の各種設定を変更したり、音声の送受信のオンとオフとを切り替えたりする操作が含まれる。操作部１５４は、例えば、物理的なスイッチや、表示部１５５に設けられたタッチパネルで実現することができる。操作部１５４が操作されると、操作に応じた制御信号が、操作制御部１６３に入力される。
【００２９】
表示部１５５は、種々の情報を表示する。表示部１５５は、例えば、無線通信に関する種々の情報を表示する。表示部１５５は、例えば、液晶ディスプレイ（ＬＣＤ：Liquid  Crystal  Display）または有機ＥＬ（Organic  Electro-Luminescence）ディスプレイなどを含むディスプレイである。
【００３０】
無線通信部１５６は、他の無線端末１５０と中継局１００の中継装置１１０を介して音声を含む情報通信を行う。
【００３１】
制御部２００は、マイク入力制御部１６１と、音声出力制御部１６２と、操作制御部１６３と、表示制御部１６４と、無線通信制御部１６５とを備える。制御部２００は、例えば、ＣＰＵ（Central  Processing  Unit）およびＤＳＰ（Ｄｉｇｉｔａｌ  Ｓｉｇｎａｌ  Ｐｒｏｃｅｓｓｏｒ）を含む電子的な回路で実現することができる。
【００３２】
マイク入力制御部１６１は、音声入力部１５２が検出した音声信号を符号化して、無線通信制御部１６５に出力する。
【００３３】
無線通信制御部１６５は、符号化された音声信号を所定の通信フォーマットに変換し、
無線通信部１５６を介して中継装置１１０に送信する。また、無線通信制御部１６５は、無線通信部１５６を介して中継装置１１０により中継された信号を復号化し、複号化された音声信号と制御信号とを音声出力制御部１６２に出力する。
【００３４】
音声出力制御部１６２は、無線通信制御部１６５で複号化された音声信号を、音声出力部１５３を介して出力するか、否か（ミュートする）を制御信号に基づき制御する。
【００３５】
操作制御部１６３は、操作部１５４からユーザなどからの操作に応じた操作情報を受ける。操作制御部１６３は、受けた操作情報に従って、制御部１６０の各部を動作させるための制御信号を各部に出力する。
【００３６】
表示制御部１６４は、種々の映像を表示部１５５に表示する。表示制御部１６４は、例えば無線通信に関する情報を表示部１５５に表示する。
【００３７】
図３を参照して、本実施形態に係る中継装置の構成の一例について説明する。図３は、本実施形態の中継装置の構成の一例を示すブロック図である。
【００３８】
中継装置１１０は、記憶部１１１と、マイク入力端子１１２と、音声出力部１１３と、無線通信部１１４と、操作部１１５と、表示部１１６と、中継装置間通信部１１７と、制御部２００とを備える。
【００３９】
マイク入力端子１１２には、音声入力部としてマイクの端子が接続される。すなわち、中継装置１１０においては、音声出力部としてのマイクは任意に着脱可能である。マイクは、例えばオペレータＯによってマイク入力端子１１２に着脱される。
【００４０】
音声出力部１１３は、種々の音声を出力する。音声出力部１１３は、例えば無線端末などから送信された信号に対応する音声を出力する。音声出力部１５３は、例えば通常のスピーカで構成される。音声出力部１５３は、中継装置１１０に一体に設けられたものであってもよいし、外部から接続されたものであってもよい。
【００４１】
無線通信部１１４は、中継装置１１０と外部の情報処理装置との間で情報通信を行う。無線通信部１１４は、無線端末１５０と無線端末などとの間で情報通信を行う。
【００４２】
操作部１１５は、中継装置１１０に対する種々の操作を受け付ける。種々の操作には、例えば中継装置１１０の各種設定を変更する操作が含まれる。操作部１１５は、例えば、物理的なスイッチや、表示部１１６に設けられたタッチパネルで実現することができる。操作部１１５が操作されると、操作に応じた制御信号が、操作制御部２５０に入力される。
【００４３】
表示部１１６は、種々の情報を表示する。表示部１１６は、例えば、無線通信に関する種々の情報を表示する。表示部１１６は、例えば、液晶ディスプレイまたは有機ＥＬディスプレイなどを含むディスプレイである。
【００４４】
中継装置間通信部１１７は、中継装置１１０と、中継局１００を構成する他の中継装置１１０との間で情報通信を行う。中継装置１１０と、他の中継装置１１０とは、通信回線ＮＷで接続されている。中継装置間通信部１１７は、通信回線ＮＷを介して、中継装置１１０と、中継局１００を構成する他の中継装置１１０との間で情報通信を行う。情報通信の内容は、例えば、一の中継装置１１０が他の中継装置１１０の設定を変更する情報である。また、一の中継装置１１０が受信した無線端末１５０からのアップリンク信号そのものもしくはアップリンク信号に含まれる音声信号であってもよい。つまり中継装置１１０のいずれかが受信したアップリンク信号を他の中継装置１１０に通信回線ＮＷを解して送ることができる。
【００４５】
記憶部１１１は、種々のデータを記録する。記憶部１１１は、例えば、制御部２００の各部を実現させるためのプログラムを記憶している。制御部２００は、記憶部１１１に記憶されているプログラムを展開して実行することで、各部の機能を実現する。記憶部１１１は、例えば、ＲＡＭ、ＲＯＭ、フラッシュメモリなどの半導体メモリ素子、または、ハードディスク、ソリッドステートドライブ、光ディスクなどの記憶装置で実現することができる。
【００４６】
記憶部１１１は、例えばＨｏｍｅ  ＣＨごとに、スピーカ出力設定状態を記憶している。記憶部１１１は、例えばスピーカ出力設定状態をスピーカ出力制御テーブルとして記憶している。
【００４７】
図４を用いて、スピーカ出力制御テーブルについて説明する。図４は、スピーカ出力制御テーブルの一例を示す模式図である。なお、スピーカの出力を制御すること、として記載するが、中継装置が受信した信号に対応する音声、つまり音声データのデコードを行うか否かであってもよく、むろんデコードを行なわない場合はスピーカの出力はミュートされる。つまり音声出力の可否を制御すること、と同意である。
【００４８】
図４に示すように、スピーカ出力制御テーブル３００には、Ｈｏｍｅ  ＣＨごとに、スピーカ出力設定と、状態管理に関する情報が含まれている。状態管理には、マイク接続と、顧客要求（常時）と、顧客要求（テンポラリ）が含まれている。顧客要求（常時）は、通話の際の顧客の常時の要求である。顧客要求（テンポラリ）は、通話の際の顧客の一時的な要求である。
【００４９】
スピーカ出力設定状態の取り得る値は、「Ｅｎａｂｌｅ」と「Ｄｉｓａｂｌｅ」である。「Ｅｎａｂｌｅ」の場合スピーカ出力を行うことを意味している。「Ｄｉｓａｂｌｅ」の場合スピーカ出力を行わないことを意味している。中継装置１１０は、この情報に従いスピーカ出力制御を行う。
【００５０】
マイク接続状態の取り得る値は、未接続の「Ｏｆｆ」と接続の「Ｏｎ」である。「Ｏｆｆ」は、マイクが接続されていないことを意味する。「Ｏｎ」は、マイクが接続されていることを意味する。
【００５１】
顧客要求（常時）の取り得る値は「Ｎｏｎｅ」と「Ｅｎａｂｌｅ」と「Ｄｉｓａｂｌｅ」である。「Ｎｏｎｅ」は、顧客の要求を受け付けていないことを意味する。「Ｅｎａｂｌｅ」は、スピーカ出力を顧客が常時許可していることを意味している。「Ｄｉｓａｂｌｅ」は、スピーカ出力を顧客が常時許可していないことを意味している。
【００５２】
顧客要求（テンポラリ）の取り得る値は「Ｎｏｎｅ」と「Ｅｎａｂｌｅ」と「Ｄｉｓａｂｌｅ」である。「Ｎｏｎｅ」は、顧客の要求を受け付けていないことを意味する。「Ｅｎａｂｌｅ」は、スピーカ出力を顧客が一時的に許可していることを意味している。「Ｄｉｓａｂｌｅ」は、スピーカ出力を顧客が一時的に許可していないことを意味している。
【００５３】
制御部２００は、マイク着脱検出部２１０と、マイク入力制御部２２０と、音声出力制御部２３０と、無線通信制御部２４０と、操作制御部２５０と、表示制御部２６０と、中継装置間通信制御部２７０とを備える。制御部２００は、例えば、ＣＰＵを含む電子的な回路で実現することができる。
【００５４】
マイク着脱検出部２１０は、マイク入力端子１１２にマイクが接続されたことを検出する。マイク着脱検出部２１０は、マイク入力端子１１２に接続されたマイクが、マイク入力端子１１２から取り外されたことを検出する。マイク着脱検出部２１０は、音声出力制御部２３０に、マイクの接続状態を通知する。
【００５５】
マイク入力制御部２２０は、マイク着脱検出部２１０がマイクを接続されたことを検出した場合に、操作制御部１６３の制御に従って、マイク入力端子１１２に接続されたマイクを制御する。マイク入力制御部２２０は、例えば操作制御部１６３から送信する指示がなされた場合、マイクに入力された音声信号を、無線通信制御部２４０を介して無線通信部１１４から送信する。
【００５６】
音声出力制御部２３０は、音声出力部１１３を制御する。音声出力制御部２３０は、例えば音声出力部１１３のＯＮとＯＦＦとを切り替える。また、音声出力制御部２３０は、マイク着脱検出部２１０のマイク接続状態に基づいて、自身の中継装置１１０または中継局１００を構成するその他の中継装置１１０のいずれかが、自身の中継装置１１０を通常の接続先とする無線端末からアップリンク信号を受信した場合に、その受信した信号の音声の出力を可能とする。音声出力制御部２３０は、音声の出力を可能とする中継装置１１０は自身だけでなく、他の中継装置１１０も可能とする制御信号、つまり受信したアップリンク信号に対応する音声の音声出力を可能とする制御信号を出力する。また中継装置１１０を通常の接続先としない無線端末からアップリング信号を受信した場合には、他の中継装置１１０からの前記した制御信号により、その受信した信号の音声の出力を可能とする場合がある。
【００５７】
無線通信制御部２４０は、無線通信部１１４を制御する。無線通信制御部２４０は、無線通信部１１４を介して、無線端末などに音声を送信する。無線通信制御部２４０は、無線通信部１１４を介して、無線端末から音声を受信する。通常の場合、無線通信制御部２４０は、無線通信部１１４が受信した信号を無線通信部１１４で送信する、つまり中継の制御を行う。また、無線通信制御部２４０は、マイク着脱検出部２１０がマイク入力端子１１２へのマイクの接続を検出した場合に、中継装置１１０を接続先とする無線端末などに音声の送信を可能とする。
【００５８】
操作制御部２５０は、操作部１１５からユーザなどからの操作に応じた操作情報を受ける。操作制御部２５０は、受けた操作情報に従って、制御部２００の各部を動作させるための制御信号を各部に出力する。
【００５９】
表示制御部２６０は、種々の映像を表示部１１６に表示する。表示制御部２６０は、例えば無線通信に関する情報を表示部１１６に表示する。
【００６０】
中継装置間通信制御部２７０は、中継装置間通信部１１７を制御する。中継装置間通信制御部２７０は、中継装置間通信部１１７を介して、他の中継装置１１０との間で情報通信を行う。中継装置間通信制御部２７０は、音声出力制御部２３０からの自身を通常の接続先とする無線端末１５０からのアップリンクを受信した場合に、受信したアップリンク信号に対応する音声の音声出力を可能とする指示を受け、中継装置間通信部１１７を介して他の中継装置１１０に伝送する。また、中継装置間通信制御部２７０は、中継装置間通信部１１７を介して、他の中継装置１１０から前記指示を受けた場合に、音声出力制御部２３０に対して受信したアップリンク信号に対応する音声の音声出力を可能とする指示を伝える。
【００６１】
また、中継装置間通信制御部２７０は、中継装置間通信部１１７を介して、他の中継装置１１０と受信したアップリンク信号に対応する音声の音声信号を送受信してもよい。なお、音声信号は、中継装置間における所定のプロトコルで符号化され送受信される。つまり、前記指示が行なわれている場合、他の中継装置１１０は、前記指示を行なった中継装置を接続先とする無線端末からのアップリンク信号に対応する音声の音声信号を、中継装置間通信部１１７を介して送信する。中継装置間通信制御部２７０は、他の中継装置１１０から送られた音声信号を、音声出力制御部２３０を介して音声出力部１１３に出力する。
【００６２】
図５を用いて、従来技術の課題について説明する。図５は、従来技術の課題を説明するための模式図である。以下の各図において、無線端末とＣＨとを結ぶ矢印は、無線端末とＣＨとの間で情報通信を行っていることを意味する。
【００６３】
従来、自社の中継装置（例えば、第一中継装置１１０−１）において、無線端末からの音声信号を受信した場合、その音声信号の送信元である無線端末がどの事業者のものかを意識することなく、無条件でスピーカ１３０−１から音声出力を行っていた。具体的には、第一中継装置１１０−１は、Ｓｌｏｔ  Ｓｅｌｅｃｔｉｏｎが「２」に設定されており、ＣＨ１で事業者Ａの無線端末１５０−１からのアップリング信号を受信し、ＣＨ２で事業者Ｂの無線端末１５０−２からのアップリング信号を受信している。ここで、Ｓｌｏｔ  Ｓｅｌｅｃｔｉｏｎには「１」と「２」が設定され、「１」の場合には数字の小さい方のＣＨが受信した音声を出力し、「２」の場合には数値の大きい方のＣＨが受信したアップリング信号の音声を出力する。このため、第一中継装置１１０−１のスピーカ１３０−１からは、ＣＨ２で受信した、事業者Ｂの無線端末１５０−２からのアップリング信号の音声が出力される。第二中継装置１１０−２は、Ｓｌｏｔ  Ｓｅｌｅｃｔｉｏｎが「１」に設定されており、ＣＨ３で事業者Ｃからの無線端末１５０−３からのアップリング信号を受信し、ＣＨ４で事業者Ｄの無線端末１５０−４からのアップリンク信号を受信している。このため、第二中継装置１１０−２のスピーカ１３０−２からは、ＣＨ３で受信した、事業者Ｃの無線端末１５０−３からのアップリング信号の音声が出力される。従来技術では、このような状況で、第一中継装置１１０−１の傍に管理事業者のオペレータＯが存在した場合、会話の内容が聞かれてしまい、セキュリティ／秘匿性に課題があった。また逆に、ＴＤＭＡシステムの場合に、中継装置で無線端末からの音声を聞きたい場合においても、自社の第一中継装置１１０−１では、ＰＣアプリケーションによって予め設定したＳｌｏｔ  Ｓｅｌｅｃｔｉｏｎとは逆のＳｌｏｔで受信したアップリンク信号の音声をスピーカ出力できなかった。従来は、Ｓｌｏｔ  Ｓｅｌｅｃｔｉｏｎの設定を動的に切り替える仕組みも無いため、中継局１００の一方のＣＨのみ受信音声を聞くことができるが、他方のＣＨの受信音声は聞けないという課題があった。
【００６４】
図６と、図７と、図８とを用いて、本発明の実施形態に係る中継方法の概要について説明する。図６は、中継局において、いずれの中継装置にもマイクが接続されていない場合のスピーカの出力制御を説明するための模式図である。図７は、中継局において、いずれかの中継装置にマイクが接続され、かつ各中継装置のスピーカら音声を出力する場合のスピーカの出力制御を説明するための模式図である。図８は、中継局において、いずれかの中継装置にマイクが接続され、かつマイクが接続された中継装置からまとめて音声を出力する場合のスピーカの出力制御を説明するための模式図である。
【００６５】
図６に示す例は、各中継装置をベース運用で使用しないことを想定した各スピーカの制御である具体的には、図６に示す例では、中継局１００を構成するいずれの中継装置にもマイクが接続されていない。このような場合には、本実施形態では、いずれのスピーカからも音声出力を行わない。これにより、本実施形態は、セキュリティの課題を解決する。
【００６６】
図７および図８に示す例は、中継装置をベース運用で使用することを想定した各スピーカの制御処理である。この場合、マイクが接続された中継装置及びＳｌｏｔ  Ｓｅｌｅｃｔｉｏｎの設定値より通話対象の事業者が決まる。そして、通話対象の事業者からの受信音声のみをスピーカ出力する。図７および図８に示す例では、マイクが第二中継装置１１０−２に接続され、ＣＨ３をＨｏｍｅ  ＣＨとする事業者Ｃが通信対象となるものとして説明する。
【００６７】
図７では音声を受信したそれぞれの中継装置で音声出力する方法を示している。図７に示す例では、第一中継装置１１０−１は、ＣＨ１において事業者Ａの無線端末１５０−１のアップリンク信号を受信し、ＣＨ２において、事業者Ｃの一部の無線端末１５０−３の第一アップリンク信号を受信している。第一中継装置１１０−１のＳｌｏｔ  Ｓｅｌｅｃｔｉｏｎは「２」である。第二中継装置１１０−２は、ＣＨ３において事業者Ｃの一部の無線端末１５０−３の第二アップリンク信号を受信し、ＣＨ４において事業者Ｄの無線端末１５０−４のアップリンク信号を受信している。第二中継装置１１０−２のＳｌｏｔ  Ｓｅｌｅｃｔｉｏｎは「１」である。この場合、第一中継装置１１０−１のスピーカ１３０−１からは、ＣＨ２で受信した第一アップリンク信号の第一音声を出力する。また、第二中継装置１１０−２のスピーカ１３０−２からは、ＣＨ３で受信した第二アップリンク信号の第二音声を出力する。すなわち、図７に示す例では、第二中継装置１１０−２の通話対象である、事業者Ｃの音声のみをスピーカから出力する。
【００６８】
図８は、各中継装置が受信したアップリンク信号の音声をマイクが接続された中継装置のスピーカから混合（ミックス）して出力する方法を示している。具体的には、図８では、第二中継装置１１０−２にマイク１４０が接続されている。図８に示す例では、第一中継装置１１０−１は、ＣＨ１において事業者Ａの無線端末１５０−１のアップリンク信号を受信し、ＣＨ２において、事業者Ｃの一部の無線端末１５０−３の第一アップリンク信号を受信している。第一中継装置１１０−１のＳｌｏｔ  Ｓｅｌｅｃｔｉｏｎは「２」である。第二中継装置１１０−２は、ＣＨ３において事業者Ｃの一部の無線端末１５０−３の第二アップリンク信号を受信し、ＣＨ４において事業者Ｄの無線端末１５０−４のアップリンク信号を受信している。第二中継装置１１０−２のＳｌｏｔ  Ｓｅｌｅｃｔｉｏｎは「１」である。図８に示す例では、第一中継装置１１０−１は受信した第一アップリンク信号を、中継局１００の第二中継装置１１０−２に送信する。この場合、第二中継装置１１０−２においては、第一アップリンク信号の第一音声と、第二アップリンク信号の第二音声をミックスしてスピーカ１３０−２から出力する。図８では、２つの中継装置の音声をミックスする場合を示しているが、本発明はこれらに限定されない。
【００６９】
本実施形態においては、中継装置１１０におけるいずれの中継装置にマイクが接続された場合には、図７および図８に示したどちらの処理を実行してもよい。
【００７０】
次に、図９から図１６を用いて、本実施形態に係る無線通信システム１０の処理の詳細について説明する。
【００７１】
図９から図１１は、第二中継装置１１０−２に対するマイクの物理的な接続と切断とをトリガーにスピーカの出力制御を行うシーケンス図を示している。
【００７２】
図９は、第二中継装置１１０−２でマイクの物理的な接続を検出した場合に、第二中継装置１１０−２をＨｏｍｅ  ＣＨとする事業者からの受信音声をスピーカの出力対象とする処理を示すシーケンス図である。
【００７３】
まず、第二中継装置１１０−２は、マイクが接続されたことを検出する（ステップＳ１１）。次いで、第二中継装置１１０−２は、自身のＳｌｏｔ  Ｓｅｌｅｃｔｉｏｎの設定値を参照する（ステップＳ１２）。そして、第二中継装置１１０−２は、スピーカ出力制御対象の事業者のＨｏｍｅ  ＣＨがＣＨ３かＣＨ４かを認識する（ステップＳ１３）。ここで、ステップＳ１３では、事業者のＨｏｍｅ  ＣＨはＣＨ３であるものとする。そのため、ステップＳ１３では、第二中継装置１１０−２は、事業者のＨｏｍｅ  ＣＨがＣＨ３であると認識する。
【００７４】
次いで、第二中継装置１１０−２は、中継局１００内の他の中継装置１１０に対して、スピーカ出力設定通知によりＨｏｍｅ  ＣＨ３でマイク接続がＯＮになったことを通知する（ステップＳ１４）。
【００７５】
次いで、他の各中継装置は、Ｈｏｍｅ  ＣＨ３でマイク接続がＯＮになったことを認識する（ステップＳ１５）。その後、Ｈｏｍｅ  ＣＨがＣＨ３である事業者が第二中継装置１１０−２を介して行う通信は、第二中継装置１１０−２のスピーカ１３０−２から音声が出力される。
【００７６】
次いで、Ｈｏｍｅ  ＣＨがＣＨ３である事業者の無線端末１５０が、第一中継装置１１０−１で通話を開始する（ステップＳ１６）。第二中継装置１１０−２のＣＨ３は通信が行なわれているため、この無線端末１５０は、システムから通知された他のＣＨを使用して（トランクアウトして）音声通話を行うことを示す。
【００７７】
次いで、第一中継装置１１０−１は、受信したアップリンク信号の音声をスピーカから出力してよいか否かを判定する（ステップＳ１７）。
【００７８】
図９に示す例ではスピーカ出力可の判断となり、第一中継装置１１０−１は、スピーカ１３０−１から音声を出力する（ステップＳ１８）。そして、図９の処理を終了する。なお、音声をミックスして出力する場合には、第一中継装置１１０−１は、受信したアップリンク信号を、第二中継装置１１０−２に出力し、第二中継装置１１０−２のスピーカ１３０−２から第一中継装置１１０−１の音声を出力してもよい。
【００７９】
次に、図１０を参照して、図９とは異なる処理について説明する。図１０は、Ｈｏｍｅ  ＣＨがＣＨ３ではない事業者の無線端末１５０が通話を開始した場合の処理を示すシーケンス図である。
【００８０】
ステップＳ２１からステップＳ２５は、図９に図示のステップＳ１１からステップＳ１５と同様なので説明は省略する。
【００８１】
次いで、通常の接続先が第一中継装置１１０−１である無線端末１５０は、第一中継装置１１０−１で通話を開始する（ステップＳ２６）。
【００８２】
次いで、第一中継装置１１０−１は、受信したアップリンク信号の音声をスピーカから出力してよいか否かを判定する（ステップＳ２７）。
【００８３】
図１０に示す例では、第一中継装置１１０−１においてスピーカから音声出力を許可されているのは、ＣＨ３をＨｏｍｅ  ＣＨとする事業者であるため、スピーカ出力不可の判断となり、第一中継装置１１０−１は、スピーカ１３０−１から音声を出力しない（ステップＳ２８）。そして、図１０の処理は終了する。
【００８４】
図１１は、第二中継装置１１０−２でマイクの物理的な切断を検出した場合に、第二中継装置１１０−２をＨｏｍｅ  ＣＨとする事業者からの受信音声のスピーカの出力を停止する処理を示すシーケンス図である。
【００８５】
まず、事業者の無線端末から、第一中継装置１１０−１に通話が開始される（ステップＳ３１）。そして、第一中継装置１１０−１は、受信音声をスピーカ１３０−１から出力を開始する（ステップＳ３２）。
【００８６】
次いで、第二中継装置１１０−２は、マイクの物理的な切断を検出する（ステップＳ３３）。次いで、第二中継装置１１０−２は、自身のＳｌｏｔ  Ｓｅｌｅｃｔｉｏｎの設定値を参照する（ステップＳ３４）。そして、第二中継装置１１０−２は、スピーカ出力制御対象の事業者のＨｏｍｅ  ＣＨがＣＨ３かＣＨ４かを認識する（ステップＳ３５）。ここで、ステップＳ３５では、第二中継装置１１０−２は、事業者のＨｏｍｅ  ＣＨはＣＨ３であると認識する。
【００８７】
次いで、第二中継装置１１０−２は、中継局１００内の他の中継装置１１０に対して、スピーカ出力設定通知によりＨｏｍｅ  ＣＨ３でマイク接続がＯＦＦになったことを通知する（ステップＳ３６）。
【００８８】
次いで、他の各中継装置は、Ｈｏｍｅ  ＣＨ３でマイク接続がＯＦＦになったことを認識する（ステップＳ３７）。
【００８９】
そして、第一中継装置１１０−１は、ステップＳ３７と同時に、スピーカ１３０−１からの受信音声の出力を停止する（ステップＳ３８）。そして、図１１の処理は終了する。
【００９０】
次に、図１２から図１５を用いて、無線端末からの操作をトリガーにスピーカの出力を制御する処理について説明する。この場合も同じく、スピーカの出力を制御することとして記載するが、中継装置が受信した信号の音声データのデコードを行うか否かであってもよい。
【００９１】
図１２と、図１３とを用いて、スピーカの出力を常時設定する処理について説明する。
【００９２】
図１２を用いて、スピーカの出力を常時禁止にする処理について説明する。図１２は、Ｈｏｍｅ  ＣＨがＣＨ３である事業者の無線端末が、自身の事業者からの受信音声を中継装置でスピーカ出力を常時禁止にする処理を示すシーケンス図である。
【００９３】
まず、無線端末は、スピーカ出力設定変更要求にＨｏｍｅ  ＣＨの情報と「スピーカ出力禁止」とを設定し、第一中継装置１１０−１に送信する（ステップＳ４１）。
【００９４】
次いで、第一中継装置１１０−１は、Ｈｏｍｅ  ＣＨ３での受信音声をスピーカ出力対象から外す（Ｄｉｓａｂｌｅ）（ステップＳ４２）。すなわち、第一中継装置１１０−１は、Ｈｏｍｅ  ＣＨ３での受信音声をスピーカから出力することを禁止する。次いで、第一中継装置１１０−１は、中継局１００内の他の中継装置１１０に対して、スピーカ出力設定変更要求によりＨｏｍｅ  ＣＨ３での受信音声がスピーカ出力対象から外されたことを通知する（ステップＳ４３）。
【００９５】
次いで、各中継装置１１０は、Ｈｏｍｅ  ＣＨ３での受信音声がスピーカ出力対象から外されたことを認識する（ステップＳ４４）。
【００９６】
次いで、Ｈｏｍｅ  ＣＨがＣＨ３である事業者の無線端末から、第一中継装置１１０−１に対し、通話が開始される（ステップＳ４５）。
【００９７】
次いで、第一中継装置１１０−１は、受信したアップリンク信号の音声をスピーカから出力してよいか否かを判定する（ステップＳ４６）。
【００９８】
図１２に示す例ではスピーカ出力不可の判断となり、第一中継装置１１０−１は、スピーカ１３０−１から音声を出力しない（ステップＳ４７）。そして、図１２の処理は終了する。
【００９９】
次に図１３を用いて、スピーカの出力を常時許可する処理について説明する。図１３は、Ｈｏｍｅ  ＣＨがＣＨ３である事業者の無線端末が、自身の事業者からの受信音声を中継装置でスピーカ出力を許可する処理を示すシーケンス図である。
【０１００】
まず、無線端末は、スピーカ出力設定変更要求にＨｏｍｅ  ＣＨの情報と「スピーカ出力許可」とを設定し、第一中継装置１１０−１に送信する（ステップＳ５１）。
【０１０１】
次いで、第一中継装置１１０−１は、Ｈｏｍｅ  ＣＨ３での受信音声のスピーカ出力を許可された（Ｅｎａｂｌｅ）ことを認識する（ステップＳ５２）。次いで、第一中継装置１１０−１は、中継局１００内の他の中継装置１１０に対して、スピーカ出力変更要求によりＨｏｍｅ  ＣＨ３での受信音声のスピーカ出力が許可されたことを通知する（ステップＳ５３）。
【０１０２】
次いで、各中継装置は、Ｈｏｍｅ  ＣＨ３での受信音声のスピーカ出力が許可されたことを認識する（ステップＳ５４）。
【０１０３】
次いで、Ｈｏｍｅ  ＣＨがＣＨ３である事業者の無線端末から、第一中継装置１１０−１に対し、通話が開始される（ステップＳ５５）。
【０１０４】
次いで、第一中継装置１１０−１は、受信したアップリンク信号の音声をスピーカから出力してよいか否かを判定する（ステップＳ５６）。むろん、他の事業者の無線端末１５０からのアップリンク信号であれば否とする。
【０１０５】
図１３に示す例ではスピーカ出力は、可の判断となり、第一中継装置１１０−１は、スピーカ１３０−１から音声を出力する（ステップＳ５７）。
【０１０６】
また、図１３に示すように第二中継装置１１０−２が別な無線端末１５０により通話が開始された場合（ステップＳ５８）、音声出力の可否判定（ステップＳ５９）を行うが、この別な無線端末１５０が、ステップＳ５５により通話が開始した無線端末１５０と同じ事業者であれば、スピーカから音声は出力され、ステップＳ５５により通話が開始した無線端末１５０と異なる事業者であれば、スピーカから音声は出力されない。そして、図１３の処理は終了する。
【０１０７】
次に、図１４と、図１５とを用いて、スピーカの出力を一時的に設定（テンポラリ設定）する処理について説明する。図１４と、図１５とでは、通話要求のあった通話のみのスピーカ出力制御を行う。
【０１０８】
図１４は、通話開始時のリンク手続きにおいて、その通話限定で、Ｈｏｍｅ  ＣＨがＣＨ３である事業者の無線端末が、自身の受信音声のスピーカ出力を禁止にする処理を示すシーケンス図である。
【０１０９】
まず、無線端末は、通話要求（Ｃａｌｌ  Ｒｅｑｕｅｓｔ）にＨｏｍｅ  ＣＨの情報と「スピーカ出力禁止」とを設定し、第一中継装置１１０−１に送信する（ステップＳ６１）。
【０１１０】
次いで、第一中継装置１１０−１は、Ｈｏｍｅ  ＣＨがＣＨ３の事業者の受信音声をスピーカ出力対象から一時的に外す（Ｄｉｓａｂｌｅ）（ステップＳ６２）。すなわち、第一中継装置１１０−１は、Ｈｏｍｅ  ＣＨがＣＨ３の事業者の受信音声をスピーカ１３０−１から出力することを一時的に禁止する。図１４の処理では、第一中継装置１１０−１は、中継局１００内の他の中継装置１１０にスピーカ出力設定変更要求は送信しない。
【０１１１】
次いで、第一中継装置１１０−１は、通話要求の許可応答を無線端末に送信する（ステップＳ６３）。これにより、無線端末と、第一中継装置との間でリンクが確立する。
【０１１２】
次いで、事業者の無線端末から、第一中継装置１１０−１に通話が開始される（ステップＳ６４）。
【０１１３】
次いで、第一中継装置１１０−１は、受信したアップリンク信号の音声をスピーカから出力してよいか否かを判定する（ステップＳ６５）。
【０１１４】
図１４に示す例ではスピーカ出力不可の判断となり、第一中継装置１１０−１は、スピーカ１３０−１から音声を出力しない（ステップＳ６６）。
【０１１５】
次いで、無線端末と、第一中継装置１１０−１との間で通話が終了する（ステップＳ６７）。次いで、無線端末と、第一中継装置１１０−１との間で通話が終了したタイミングで、第一中継装置１１０−１は、Ｈｏｍｅ  ＣＨ３での受信音声のスピーカ出力の一時的な禁止を解除する（ステップＳ６８）。そして、図１４の処理は終了する。
【０１１６】
図１５は、通話開始時のリンク手続きにおいて、その通話限定で、Ｈｏｍｅ  ＣＨがＣＨ３である事業者の無線端末が、自身の受信音声を中継装置でスピーカ出力を許可する処理を示すシーケンス図である。
【０１１７】
まず、無線端末は、通話要求（Ｃａｌｌ  Ｒｅｑｕｅｓｔ）にＨｏｍｅ  ＣＨの情報と「スピーカ出力許可」とを設定し、第一中継装置１１０−１に送信する（ステップＳ７１）。
【０１１８】
次いで、第一中継装置１１０−１は、Ｈｏｍｅ  ＣＨ３での受信音声のスピーカ出力を一時的に許可する（Ｅｎａｂｌｅ）（ステップＳ７２）。図１５の処理では、第一中継装置１１０−１は、中継局１００内の他の中継装置１１０にスピーカ出力設定通知は送信しない。
【０１１９】
次いで、第一中継装置１１０−１は、通話要求の許可応答を無線端末に送信する（ステップＳ７３）。これにより、無線端末と、第一中継装置との間でリンクが確立する。
【０１２０】
次いで、事業者の無線端末から、第一中継装置１１０−１に通話が開始される（ステップＳ７４）。
【０１２１】
次いで、第一中継装置１１０−１は、受信したアップリンク信号の音声をスピーカから出力してよいか否かを判定する（ステップＳ７５）。
【０１２２】
図１５に示す例ではスピーカ出力可の判断となり、第一中継装置１１０−１は、スピーカ１３０−１から音声を出力する（ステップＳ７６）。
【０１２３】
次いで、無線端末と、第一中継装置１１０−１との間で通話が終了する（ステップＳ７７）。次いで、無線端末と、第一中継装置１１０−１との間で通話が終了したタイミングで、第一中継装置１１０−１は、Ｈｏｍｅ  ＣＨ３での受信音声のスピーカ出力の一時的な許可を解除する（ステップＳ７８）。そして、図１５の処理は終了する。
【０１２４】
図１６を用いて、中継局１００を構成する各中継装置が、無線端末に対してスピーカの設定状態を報知する処理について説明する。図１６は、各中継装置が無線端末に対してスピーカの設定状態を報知する処理の一例を示すシーケンス図である。
【０１２５】
まず、第一中継装置１１０−１は、第一中継装置１１０−１が認識しているＨｏｍｅ  ＣＨ１及び２のスピーカ出力設定状態を、スピーカ設定状態として、無線端末に送信する（ステップＳ８１）。次いで、第二中継装置１１０−２は、第二中継装置１１０−２が認識しているＨｏｍｅ  ＣＨ３及び４のスピーカ出力設定状態を、スピーカ設定状態として、無線端末に送信する（ステップＳ８２）。そして、第ｎ中継装置１１０−ｎは、第ｎ中継装置１１０−ｎが認識しているＨｏｍｅ  ＣＨ２ｎ−１及び２ｎのスピーカ出力設定状態を、スピーカ設定状態として、無線端末に送信する（ステップＳ８３）。
【０１２６】
図１６に示す例では、各中継装置は、スピーカ設定状態の通知をＴ秒周期で周期的に行う。例えば、ステップＳ８１のＴ秒後、第一中継装置１１０−１は、第一中継装置１１０−１が認識しているＨｏｍｅ  ＣＨ１及び２のスピーカ出力設定状態を、スピーカ設定状態として、無線端末に送信する（ステップＳ８４）。次いで、第二中継装置１１０−２は、第二中継装置１１０−２が認識しているＨｏｍｅ  ＣＨ３及び４のスピーカ出力設定状態を、スピーカ設定状態として、無線端末に送信する（ステップＳ８５）。そして、第ｎ中継装置１１０−ｎは、第ｎ中継装置１１０−ｎが認識しているＨｏｍｅ  ＣＨ２ｎ−１及び２ｎのスピーカ出力設定状態を、スピーカ設定状態として、無線端末に送信する（ステップＳ８６）。
【０１２７】
無線端末は、各中継装置から報知される情報を参照し、設定を変えたい場合はユーザ操作で変更することが出来る。
【０１２８】
次に図１７から図２１を用いて、上述したシーケンス図における中継装置の処理の詳細について説明する。
【０１２９】
図１７を用いて、中継装置１１０の制御部２００の処理について説明する。図１７は、制御部２００がマイクの物理的な接続または切断を検出した際の処理の流れの一例を示すフローチャートである。
【０１３０】
まず、制御部２００は、記憶部１１１からＳｌｏｔ  Ｓｅｌｅｃｔｉｏｎの設定値を取得する（ステップＳ１０１）。次いで、制御部２００は、マイク着脱検出に伴うスピーカ出力の制御対象のＨｏｍｅ  ＣＨを認識する（ステップＳ１０２）。
【０１３１】
次いで、制御部２００は、自身の中継装置にマイクの接続状態を判定する（ステップＳ１０３）。マイクが接続されていないと判定された場合（ステップＳ１０３のＮｏ）、制御部２００は、ステップＳ１０６に進む。一方、マイクが接続されていると判定された場合（ステップＳ１０３のＹｅｓ）、制御部２００は、ステップＳ１０４に進む。
【０１３２】
ステップＳ１０４では、制御部２００は、マイクが接続されたことを検出し（ステップＳ１０４）、ステップＳ１０５に進む。制御部２００は、マイクの接続状態をＯＮに設定する（ステップＳ１０５）。そして、制御部２００は、ステップＳ１０８に進む。
【０１３３】
ステップＳ１０６では、制御部２００は、マイクが接続されていないことを検出し（ステップＳ１０６）、ステップＳ１０７に進む。制御部２００は、マイクの接続状態をＯＦＦに設定する（ステップＳ１０７）。そして、制御部２００は、ステップＳ１０８に進む。
【０１３４】
次いで、制御部２００は、他の中継装置１１０に対してスピーカ出力設定通知を送信する（ステップＳ１０８）。設定する情報は、対象のＨｏｍｅ  ＣＨと要因として「マイク接続」とマイク接続の状態である。
【０１３５】
次いで、制御部２００は、Ｈｏｍｅ  ＣＨの事業者からの音声信号を受信中であるか否かを判定する（ステップＳ１０９）。音声信号を受信中であると判定されなかった場合（ステップＳ１０９のＮｏ）、制御部２００は、ステップＳ１１１に進む。一方、受信中であると判定された場合（ステップＳ１０９のＹｅｓ）、制御部２００は、ステップＳ１１０に進む。
【０１３６】
制御部２００は、現在のスピーカの出力状態と、通知された情報の反映後のスピーカ出力状態とが異なっている場合には、通知された情報反映後のスピーカ出力状態となるように、スピーカの出力開始処理または出力停止処理を行う（ステップＳ１１０）。そして、制御部２００は、ステップＳ１１１に進む。
【０１３７】
制御部２００は、マイクの接続状態が変化したかを検出する（ステップＳ１１１）。マイクの接続状態が変化とは、マイクが接続された状態から外された場合、もしくはマイクが背接続されていない状態から接続された場合、を意味する。マイクの接続状態が変化していない場合（ステップＳ１１１のＮｏ）、ステップＳ１０９に戻り、現状のスピーカ出力設定通知の状態を維持して受信信号の待ち受けを継続する。マイクの接続状態が変化した場合（ステップＳ１１１のＹｅｓ）、ステップＳ１０３に戻り、上述の処理を実行する。
【０１３８】
図１８を用いて、中継装置１１０の制御部２００の処理について説明する。図１８は、制御部２００が、他の中継装置１１０からスピーカ出力設定通知を受信した際の処理の流れの一例を示すフローチャートである。
【０１３９】
まず、制御部２００は、他の中継装置１１０からスピーカ出力設定通知を受信したか否かを判定する（ステップＳ２０１）。スピーカ出力設定通知を受信したと判定しない場合（ステップＳ２０１のＮｏ）、制御部２００は、ステップＳ２０１の処理を繰り返す。一方、制御部２００は、他の中継装置１１０からスピーカ出力設定通知を受信したと判定した場合（ステップＳ２０１のＹｅｓ）、制御部２００は、ステップＳ２０２に進む。
【０１４０】
次いで、制御部２００は、スピーカ出力設定通知が送信された要因がマイク接続に起因するものであるか否かを判定する（ステップＳ２０３）。要因がマイク接続であると判定された場合（ステップＳ２０２のＹｅｓ）、制御部２００は、ステップＳ２０３に進む。一方、要因がマイク接続でないと判定された場合（ステップＳ２０２のＮｏ）、制御部２００は、ステップＳ２０４に進む。要因がマイク接続でない場合とは、例えば顧客の要求である。以下では、要因がマイク接続でない場合は、顧客の要求であるものとして説明する。
【０１４１】
ステップＳ２０３では、制御部２００は、スピーカ出力設定通知に設定されたマイク接続の状態と、スピーカ出力制御テーブルのマイク接続の状態を比較し、状態に変化が有るか否かを判定する（ステップＳ２０３）。状態に変化がないと判定された場合（ステップＳ２０３のＮｏ）、制御部２００は、ステップＳ２０１に進み、上述の処理を繰り返す。一方、状態に変化があると判定された場合（ステップＳ２０３のＹｅｓ）、制御部２００は、ステップＳ２０５に進み、マイク接続状態を通知された状態に更新する（ステップＳ２０５）。
【０１４２】
ステップＳ２０４では、制御部２００は、スピーカ出力設定通知に設定された顧客要求の状態と、スピーカ出力制御テーブルの顧客要求の状態を比較し、状態に変化が有るか否かを判定する（ステップＳ２０４）。状態に変化がないと判定された場合（ステップＳ２０４のＮｏ）、制御部２００は、ステップＳ２０１に進み、上述の処理を繰り返す。一方、状態に変化があると判定された場合（ステップＳ２０４のＹｅｓ）、制御部２００は、ステップＳ２０５に進み、顧客要求の状態を通知された状態に更新する（ステップＳ２０６）。
【０１４３】
ステップＳ２０７と、ステップＳ２０８は、図１７に図示のステップＳ１０９と、ステップＳ１１０と同じなので説明は省略する。
【０１４４】
図１９を用いて、中継装置１１０の制御部２００の処理について説明する。図１９は、制御部２００が、無線端末からスピーカ出力設定変更要求を受信した際の処理の流れの一例を示すフローチャートである。
【０１４５】
まず、制御部２００は、無線端末からスピーカ出力設定変更要求を受信したか否かを判定する（ステップＳ３０１）。スピーカ出力設定変更要求を受信していないと判定された場合（ステップＳ３０１のＮｏ）、制御部２００は、ステップＳ３０１の処理を繰り返す。一方、スピーカ出力設定変更要求を受信した場合（ステップＳ３０１のＹｅｓ）、制御部２００は、ステップＳ３０２に進む。
【０１４６】
次いで、制御部２００は、スピーカ出力設定変更要求に設定された「顧客要求の状態」と、スピーカ出力制御テーブルの「顧客要求の状態」とを比較し、状態に変化がある否かを判定する（ステップＳ３０２）。状態に変化が無いと判定された場合（ステップＳ３０２のＮｏ）、制御部２００は、ステップＳ３０１に進み、上述の処理を実行する。状態に変化がると判定された場合（ステップＳ３０２のＹｅｓ）、制御部２００は、ステップＳ３０３に進み、通知された対象ＣＨの顧客要求の状態を通知された状態に更新する（ステップＳ３０３）。
【０１４７】
次いで、制御部２００は、他の中継装置１１０に対してスピーカ出力設定変更要求を送信する（ステップＳ３０４）。ここで、スピーカ出力設定変更要求には、対象のＨｏｍｅ  ＣＨと要因として「顧客要求」と顧客要求の状態に関する情報が含まれる。そして、制御部２００は、ステップＳ３０１に進み、上述の処理を実行する。
【０１４８】
図２０を用いて、中継装置１１０の制御部２００の処理について説明する。図２０は、制御部２００が、無線端末から一時的なスピーカ出力設定を受信した際の処理の流れの一例を示すフローチャートである。図２０の処理は、無線端末からの通常の発呼動作において中継装置とのリンク確立の手続きの中で、その通話に対するスピーカ出力制御を行う事ができるようにする。無線端末はＣａｌｌ  Ｒｅｑｕｅｓｔの中に自身のＨｏｍｅ    ＣＨの情報と、スピーカ出力の許可・禁止の情報を設定する。
【０１４９】
まず、制御部２００は、無線端末からの通話が開始される前、音声受信状態を「未受信」に設定する（ステップＳ４０１）。
【０１５０】
次いで、制御部２００は、音声受信状態が「未受信」であるか否かを判定する（ステップＳ４０２）。音声受信状態が「未受信」であると判定された場合（ステップＳ４０２のＹｅｓ）、制御部２００は、ステップＳ４０３に進む。一方。音声受信状態が「未受信」でないと判定された場合（ステップＳ４０２のＮｏ）、制御部２００は、ステップＳ４０８に進む。
【０１５１】
ステップＳ４０３では、制御部２００は、無線端末からＣａｌｌ  Ｒｅｑｕｅｓｔを受信したか否かを判定する（ステップＳ４０３）。Ｃａｌｌ  Ｒｅｑｕｅｓｔを受信していないと判定された場合（ステップＳ４０３のＮｏ）、制御部２００は、ステップＳ４０３の処理を繰り返す。一方、Ｃａｌｌ  Ｒｅｑｕｅｓｔを受信したと判定された場合（ステップＳ４０３のＹｅｓ）、制御部２００は、ステップＳ４０４に進む。
【０１５２】
次いで、制御部２００は、Ｃａｌｌ  Ｒｅｑｕｅｓｔに含まれるＨｏｍｅ  ＣＨの情報を記憶部１１１に保存する（ステップＳ４０４）。ここでは、制御部２００は、スピーカ出力制御テーブルにＨｏｍｅ  ＣＨの情報を保存する。
【０１５３】
次いで、制御部２００は、スピーカ出力制御テーブルのＨｏｍｅ  ＣＨの顧客要求の状態を通知された状態に更新する（ステップＳ４０５）。
【０１５４】
次いで、制御部２００は、無線端末に対してＣａｌｌ  Ｒｅｓｐｏｎｓｅを返信する（ステップＳ４０６）。
【０１５５】
次いで、制御部２００は、音声受信状態を「受信開始待ち」に更新する（ステップＳ４０７）。そして、制御部２００は、ステップＳ４０２に進む。
【０１５６】
ステップＳ４０８では、音声受信状態が「受信開始待ち」であるか否かを判定する（ステップＳ４０８）。音声受信状態が「受信開始待ち」であると判定された場合（ステップＳ４０８のＹｅｓ）、制御部２００は、ステップＳ４０９に進む。一方、音声受信状態が「受信開始待ち」でないと判定された場合（ステップＳ４０８のＮｏ）、制御部２００は、ステップＳ４１４に進む。以下では、ステップＳ４０８において、「受信開始待ち」でないと判定される場合の音声状態は「受信中」であるものとして説明する。
【０１５７】
ステップＳ４０９では、制御部２００は、音声フレームを受信したか否かを判定する（ステップＳ４０９）。音声フレームを受信していないと判定された場合（ステップＳ４０９のＮｏ）、制御部２００は、ステップＳ４０９の処理を繰り返す。一方、音声フレームを受信したと判定された場合（ステップＳ４０９のＹｅｓ）、制御部２００は、ステップＳ４１０に進む。
【０１５８】
次いで、制御部２００は、記憶部１１１に保存してあるＨｏｍｅ  ＣＨの情報を取得する（ステップＳ４１０）。
【０１５９】
次いで制御部２００は、ステップＳ４１０で取得したＨｏｍｅ  ＣＨの音声をスピーカ出力するか否かを判定する（ステップＳ４１１）。スピーカ出力しないと判定された場合（ステップＳ４１１のＮｏ）、制御部２００は、ステップＳ４１３に進む。一方、スピーカ出力すると判定された場合（ステップＳ４１１のＹｅｓ）、制御部２００は、ステップＳ４１２に進み、スピーカ出力を開始する（ステップＳ４１２）。
【０１６０】
次いで、制御部２００は、音声受信状態を「受信中」に更新する（ステップＳ４１３）。そして、制御部２００は、ステップＳ４０２に進む。
【０１６１】
ステップＳ４１４では、制御部２００は、音声フレームの終端を検出したか否かを判定する（ステップＳ４１４）。音声フレームの終端を検出していないと判定された場合（ステップＳ４１４のＮｏ）、制御部２００は、ステップＳ４１４の処理を繰り返す。一方、音声フレームの終端を検出したと判定された場合（ステップＳ４１４のＹｅｓ）、制御部２００は、ステップＳ４１５に進む。
【０１６２】
次いで、制御部２００は、記憶部１１１に保存しておいたＨｏｍｅ  ＣＨの情報を取得する（ステップＳ４１５）。
【０１６３】
次いで、制御部２００は、ステップＳ４１５で取得したＨｏｍｅ  ＣＨの顧客要求の状態を「Ｎｏｎｅ」に初期化する（ステップＳ４１６）。
【０１６４】
次いで、制御部２００は、スピーカ出力を停止する（ステップＳ４１７）。次いで、制御部２００は、記憶部１１１に保存しておいたＨｏｍｅ  ＣＨの情報を初期化する。
【０１６５】
次いで、制御部２００は、音声受信状態を「未受信」に更新する（ステップＳ４１９）。そして、制御部２００は、ステップＳ４０２に進む。
【０１６６】
図２１を用いて、中継装置１１０の制御部２００の処理について説明する。図２１は、制御部２００が、スピーカ出力を開始または停止する処理の流れの一例を示すフローチャートである。
【０１６７】
まず、制御部２００は、自身の中継装置で対象となるＨｏｍｅ  ＣＨの無線端末からの音声信号を受信中か否か判定する（ステップＳ５０１）。音声信号を受信していないと判定された場合（ステップＳ５０１のＮｏ）、制御部２００は、図２１の処理を終了する。一方、制御部２００は、音声信号を受信中であると判定された場合（ステップＳ５０１のＹｅｓ）、制御部２００は、ステップＳ５０２に進む。
【０１６８】
次いで、制御部２００は、スピーカ出力するか否かを判定する（ステップＳ５０２）。スピーカ出力すると判定された場合（ステップＳ５０２のＹｅｓ）、制御部２００は、ステップＳ５０３に進む。一方、スピーカ出力しないと判定された場合（ステップＳ５０２のＮｏ）、制御部２００は、ステップＳ５０５に進む。
【０１６９】
ステップＳ５０３では、制御部２００は、現在のスピーカ状態はＣｌｏｓｅであるか否かを判定する（ステップＳ５０３）。スピーカの状態がＣｌｏｓｅであると判定された場合（ステップＳ５０３のＹｅｓ）、制御部２００は、ステップＳ５０４に進み、スピーカ出力を開始する（ステップＳ５０４）。そして、制御部２００は、図２１の処理を終了する。一方、スピーカの状態がＯｐｅｎであると判定された場合（ステップＳ５０３のＮｏ）、制御部２００は、図２１の処理を終了する。
【０１７０】
ステップＳ５０５では、制御部２００は、現在のスピーカ状態はＣｌｏｓｅであるか否かを判定する（ステップＳ５０５）。スピーカの状態がＯｐｅｎであると判定された場合（ステップＳ５０５のＮｏ）、制御部２００は、ステップＳ５０６に進み、スピーカ出力を停止する（ステップＳ５０６）。そして、制御部２００は、図２１の処理を終了する。一方、スピーカの状態がＣｌｏｓｅであると判定された場合（ステップＳ５０５のＹｅｓ）、制御部２００は、図２１の処理を終了する。
【０１７１】
図２２を用いて、中継装置１１０の制御部２００の処理について説明する。図２２は、制御部２００が、スピーカ出力の可否を判定する処理の流れの一例を示すフローチャートである。
【０１７２】
図２２では、図４に図示したスピーカ出力制御テーブル３００に基づいて、スピーカ出力の可否を判定する。具体的には、制御部２００は、スピーカ出力制御テーブル３００を参照し、図２３に図示の判定テーブル４００に基づいて、スピーカ出力の可否を判定する。
【０１７３】
まず、制御部２００は、対象となるＨｏｍｅ  ＣＨの情報に基づいて、スピーカ出力制御テーブル３００を参照する（ステップＳ６０１）。
【０１７４】
次いで、制御部２００は、顧客状態（テンポラリ）が「Ｅｎａｂｌｅ」である否かを判定する（ステップＳ６０２）。顧客状態（テンポラリ）が「Ｅｎａｂｌｅ」であると判定された場合（ステップＳ６０２のＹｅｓ）、制御部２００は、ステップＳ６０３に進み、スピーカ出力を行う（ステップＳ６０３）。そして、制御部２００は、図２２の処理を終了する。一方、顧客状態（テンポラリ）が「Ｅｎａｂｌｅ」でないと判定された場合（ステップＳ６０２のＮｏ）、制御部２００は、ステップＳ６０４に進む。
【０１７５】
ステップＳ６０４では、制御部２００は、顧客状態（テンポラリ）が「Ｄｉｓａｂｌｅ」であるか否かを判定する（ステップＳ６０４）。顧客状態（テンポラリ）が「Ｄｉｓａｂｌｅ」であると判定された場合（ステップＳ６０４のＹｅｓ）、制御部２００は、ステップＳ６０５に進み、スピーカ出力を実行しない（ステップＳ６０５）。そして、制御部２００は、図２２の処理を終了する。一歩、顧客状態（テンポラリ）が「Ｎｏｎｅ」であると判定された場合（ステップＳ６０４のＮｏ）、制御部２００は、ステップＳ６０６に進む。
【０１７６】
ステップＳ６０６では、制御部２００は、顧客状態（常時）が「Ｅｎａｂｌｅ」である否かを判定する（ステップＳ６０６）。顧客状態（常時）が「Ｅｎａｂｌｅ」であると判定された場合（ステップＳ６０６のＹｅｓ）、制御部２００は、ステップＳ６０７に進み、スピーカ出力を行う（ステップＳ６０７）。そして、制御部２００は、図２２の処理を終了する。一方、顧客状態（常時）が「Ｅｎａｂｌｅ」でないと判定された場合（ステップＳ６０６のＮｏ）、制御部２００は、ステップＳ６０８に進む。
【０１７７】
ステップＳ６０８では、制御部２００は、顧客状態（常時）が「Ｄｉｓａｂｌｅ」であるか否かを判定する（ステップＳ６０８）。顧客状態（常時）が「Ｄｉｓａｂｌｅ」であると判定された場合（ステップＳ６０８のＹｅｓ）、制御部２００は、ステップＳ６０９に進み、スピーカ出力を実行しない（ステップＳ６０９）。そして、制御部２００は、図２２の処理を終了する。一方、顧客状態（常時）が「Ｎｏｎｅ」であると判定された場合、制御部２００は、ステップＳ６１０に進む。
【０１７８】
ステップＳ６１０では、制御部２００は、マイクの接続状態が「Ｏｎ」であるか否かを判定する（ステップＳ６１０）、マイクの接続状態が「Ｏｎ」であると判定された場合（ステップＳ６１０のＹｅｓ）、制御部２００は、ステップＳ６１１に進み、スピーカ出力を行う（ステップＳ６１１）。そして、制御部２００は、図２２の処理を終了する。一方、マイクの接続状態が「Ｏｆｆ」であると判定された場合（ステップＳ６１０のＮｏ）、制御部２００は、ステップＳ６１２に進み、スピーカ出力を実行しない（ステップＳ６１２）。そして、制御部２００は、図２２の処理を終了する。
【０１７９】
上述のとおり、本実施形態では、中継局を構成する各中継装置のいずれにもマイクが接続されていない場合には、各中継装置が受信した無線端末からのアップリンク信号の音声が出力されない。これにより、本実施形態は、複数の事業者で共有する中継局において、他の事業者の音声を傍受されてしまうことを防止できる。この結果、本実施形態は、中継局におけるセキュリティを向上させることができる。
【０１８０】
本実施形態は、中継局を構成する各中継装置のうち、任意の中継局にマイクが接続された場合に、マイクを接続された中継装置を通常の接続先とする無線端末からの音声を出力することができる。また、本実施形態では、マイクが接続された中継装置が他の中継装置に対して、マイクが接続されたことを示す情報を送信することで、他の中継装置においても、マイクを接続された中継装置を通常の接続先とする無線端末からの音声を出力することができる。これにより、本実施形態は、マイクを接続された中継装置を通常の接続先とする無線端末以外の無線端末の音声の出力を停止することができる。この結果、本実施形態は、自らの事業者の通信のみの聴取を可能とすることができるので、セキュリティをより向上させることができる。
【０１８１】
また、上述のとおり、本実施形態における中継局の中継装置は、無線システムを構成する無線端末のいずれかにより、通常の接続先の中継装置の音声出力の制御行うだけでなく、他の中継装置に関しても同一事業者からのアップリンク信号を受信した場合の音声出力に関しても制御を可能とする。この結果、本実施形態は、自らの事業者の通信のみの聴取を可能とさせることができるので、利便性をより向上させることができる。
【０１８２】
以上、本発明の実施形態を説明したが、これら実施形態の内容により実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【０１８３】
１０  無線通信システム
１００  中継局
１１０  中継装置
１１０−１  第一中継装置
１１０−２  第二中継装置
１１０−ｎ  第ｎ中継装置
１３０−１，１３０−２，１３０−ｎ  スピーカ
１４０  マイク
１５０，１５０−１，１５０−２，１５０−３，１５０−４  無線端末
１１１，１５１  記憶部
１１２  マイク入力端子
１５２  音声入力部
１１３，１５３  音声出力部
１１５，１５４  操作部
１１６，１５５  表示部
１１７  中継装置間通信部
１１４，１５６  無線通信部
１６０，２００  制御部
１６１，２２０  マイク入力制御部
１６２，２３０  音声出力制御部
１６３，２５０  操作制御部
１６４，２６０  表示制御部
１６５，２４０  無線通信制御部
２１０  マイク着脱検出部
２７０  中継装置間通信制御部
３００  スピーカ出力制御テーブル
４００  判定テーブル
【図１】
2020129754.tif 000003
【図２】
2020129754.tif 000004
【図３】
2020129754.tif 000005
【図４】
2020129754.tif 000006
【図５】
2020129754.tif 000007
【図６】
2020129754.tif 000008
【図７】
2020129754.tif 000009
【図８】
2020129754.tif 000010
【図９】
2020129754.tif 000011
【図１０】
2020129754.tif 000012
【図１１】
2020129754.tif 000013
【図１２】
2020129754.tif 000014
【図１３】
2020129754.tif 000015
【図１４】
2020129754.tif 000016
【図１５】
2020129754.tif 000017
【図１６】
2020129754.tif 000018
【図１７】
2020129754.tif 000019
【図１８】
2020129754.tif 000020
【図１９】
2020129754.tif 000021
【図２０】
2020129754.tif 000022
【図２１】
2020129754.tif 000023
【図２２】
2020129754.tif 000024
【図２３】
2020129754.tif 000025